(57)【要約】【課題】食品用、薬用、化粧品用、雑貨用等の一般的な紙箱や、書籍カバーや、靴の紙製中敷や、紙製トレー等に利用でき、確実且つ安定的な抗菌効果が期待でき、衛生的で汎用性に優れ、構成簡素で、量産に適し、低廉で、加工が自由に行い易く、印刷層を自由に設けられ、印刷内容の変更等も自由に行え、無駄が生じ難く、管理し易く、経済的に優れ、印刷層が安定的に且つ綺麗に設けられ、所望の発色等による綺麗な状態の印刷層をそのまま表現できる紙製品を提供する。【解決手段】  適宜紙素材１と、紙素材１の表面、或いは裏面、或いは表裏両面に設ける抗菌層２と、抗菌層２の表面に設ける印刷層３とを備え、抗菌層２は、ニス基剤に酸化チタンを配合して構成する。【選択図】図１
0003114192.tif 000002
【実用新案登録請求の範囲】
【請求項１】
適宜紙素材と、この紙素材の表面、或いは裏面、或いは表裏両面に設けられる抗菌層と、この抗菌層の表面に設けられる印刷層とを備え、抗菌層は、ニス基剤に酸化チタンを配合して構成したことを特徴とする紙製品。
【請求項２】
適宜紙素材と、この紙素材の表面、或いは裏面、或いは表裏両面に設けられる抗菌層と、この抗菌層の表面に設けられる印刷層と、この印刷層の表面に設けられる第２抗菌層とを備え、抗菌層及び第２抗菌層は、ニス基剤に酸化チタンを配合して構成したことを特徴とする紙製品。
【考案の詳細な説明】
【技術分野】
【０００１】
本考案は、例えば、食品用、薬用、化粧品用、雑貨用等の一般的な紙箱や、書籍カバーや、靴の紙製中敷や、紙製トレー等に利用できて、抗菌効果が期待できると共に、安定的な印刷が可能となるような紙製品に関するものである。
【背景技術】
【０００２】
従来、この種の酸化チタン等の光触媒を利用した製品としては種々のものが提案されている。例えば、特許文献１に示すような箱があり、これは、プラスチック製の箱であって、少なくとも酸化チタン、酸化アルミニウム、酸化ニッケル及び酸化鉄を含むガス分解物質が、箱を構成するプラスチック中に含有されているか又は箱を構成するプラスチックの箱内部の面上の少なくとも一部に塗布されたものである。
また、特許文献２に示すような方法により構成されるノートの表紙等印刷物が開示されており、これは、抗菌剤を印刷インキに添加し、この印刷インキを用いて、用紙の表面にオフセット印刷をして構成されたものである。
【０００３】
【特許文献１】特開平５−１６９７４号公報
【特許文献２】特許第３４０１５７１号公報
【考案の開示】
【考案が解決しようとする課題】
【０００４】
ところが、前述のような箱にあっては、プラスチック製であるため、その加工が自由に行い難い難点があった。しかも、プラスチック製の箱であるため、印刷が自由に施し難い難点があった。
また、前述のようなノートの表紙等印刷物にあっては、印刷インキに抗菌剤を添加することにより、インキが変化して、所望の色が出せなくなる虞があった。
【課題を解決するための手段】
【０００５】
そこで、本考案は、前述の如き難点等を解消できるようにすべく案出されたもので、請求項１記載の紙製品にあっては、適宜紙素材１と、この紙素材１の表面、或いは裏面、或いは表裏両面に設けられる抗菌層２と、この抗菌層２の表面に設けられる印刷層３とを備え、抗菌層２は、ニス基剤に酸化チタンを配合して構成する手段を採用した。
【０００６】
また、請求項２記載の紙製品にあっては、適宜紙素材１と、この紙素材１の表面、或いは裏面、或いは表裏両面に設けられる抗菌層２と、この抗菌層２の表面に設けられる印刷層３と、この印刷層３の表面に設けられる第２抗菌層４とを備え、抗菌層２及び第２抗菌層４は、ニス基剤に酸化チタンを配合して構成する手段を採用した。
【考案の効果】
【０００７】
従って、本考案の請求項１記載の紙製品によれば、食品用、薬用、化粧品用、雑貨用等の一般的な紙箱や、書籍カバーや、靴の紙製中敷や、紙製トレー等に利用でき、確実且つ安定的な抗菌効果が期待でき、衛生的で汎用性の優れた紙製品を提供できるようになる。しかも、構成が簡素で、量産に適し、低廉で、その加工が自由に行い易いものとなる。
【０００８】
特に、抗菌層２の表面に印刷層３を設けるので、印刷層３を設ける工程を最後にでき、印刷層３を自由に設けられ、印刷内容の変更等も自由に行えるようになる。すなわち、紙素材１に抗菌層２を設けた状態（抗菌効果を発揮できる状態）の侭保管しておき、必要に応じて適宜印刷層３を抗菌層２に設けられるようになり、用途等が限定される虞がなく、無駄が生じ難く、管理し易く、経済的に優れたものとなる。
【０００９】
加えて、抗菌層２の表面に印刷層３を設けるので、抗菌層２が下地となって印刷層３が安定的に且つ綺麗に設けられるようになる。しかも、所望の発色等による綺麗な状態の印刷層３を紙製品にそのまま表現できるようになる。そして、印刷層３を立体的に表現することが可能となる。
【００１０】
更に、抗菌層２は、ニス基剤に酸化チタンを配合して構成したので、簡単に構成できるようになると共に、用途に応じてその配合率等を容易に変更できるようになる。しかも、安定した抗菌効果が期待できるようになる。
【００１１】
また、本考案の請求項２記載の紙製品によれば、食品用、薬用、化粧品用、雑貨用等の一般的な紙箱や、書籍カバーや、靴の紙製中敷や、紙製トレー等に利用でき、確実且つ安定的な抗菌効果が期待でき、衛生的で汎用性の優れた紙製品を提供できるようになる。しかも、構成が簡素で、量産に適し、低廉で、その加工が自由に行い易いものとなる。
【００１２】
特に、抗菌層２の表面に印刷層３を設けるので、印刷層３を設ける工程を後にでき、印刷層３を自由に設けられ、印刷内容の変更等も自由に行えるようになる。すなわち、紙素材１に抗菌層２を設けた状態（抗菌効果を発揮できる状態）の侭保管しておき、必要に応じて適宜印刷層３を抗菌層２に設けると共に、この印刷層３の表面に第２抗菌層４を設けられるようになり、用途等が限定される虞がなく、無駄が生じ難く、管理し易く、経済的に優れたものとなる。
【００１３】
加えて、抗菌層２の表面に印刷層３を設けるので、抗菌層２が下地となって印刷層３が安定的に且つ綺麗に設けられるようになる。そして、印刷層３を立体的に表現することが可能となる。
【００１４】
しかも、印刷層３の表面に第２抗菌層４を設けるので、印刷層３を確実に保護できるようになり、綺麗な状態の印刷層３を長期に亙って維持できるようになる。そして、印刷層３をより立体的に表現することが可能となる。
【００１５】
更に、抗菌層２及び第２抗菌層４は、ニス基剤に酸化チタンを配合して構成したので、簡単に構成できるようになると共に、用途に応じてその配合率等を容易に変更できるようになる。しかも、安定した抗菌効果が期待できるようになる。
【考案を実施するための最良の形態】
【００１６】
以下、本考案を説明すると、次の通りである。
本考案は、例えば、食品用、薬用、化粧品用、雑貨用等の一般的な紙箱や、書籍カバーや、靴の紙製中敷や、紙製トレーや、紙製ハンガーや、その他の適宜紙素材を利用した紙製品に係り、具体的には、適宜シート状の紙素材１と、この紙素材１の表面、或いは裏面、或いは表裏両面に設けられる抗菌層２と、この抗菌層２の表面に設けられる印刷層３とを備えたもので、抗菌層２は、ニス基剤に酸化チタンを配合して構成したものである。
【実施例】
【００１７】
そして、図１に示す紙製品は、適宜シート状の適宜紙素材１の表面（或いは裏面、或いは表裏両面）に所定厚みの抗菌層２を全体的に設け、この抗菌層２の表面の適宜位置に印刷層３を部分的に設けて構成したものである。
【００１８】
また、図２に示す紙製品は、適宜シート状の適宜紙素材１の表面（或いは裏面、或いは表裏両面）に所定厚みの抗菌層２を全体的に設け、この抗菌層２の表面の適宜位置に印刷層３を部分的に設け、この印刷層３を覆うように第２抗菌層４を設けて構成したものである。
【００１９】
前記紙素材１は、抗菌層２や印刷層３や第２抗菌層４を施す際には、適宜シート状を呈しており、オフセット印刷機等に連続的に供給できると共にオフセット印刷機等によって、抗菌層２や印刷層３や第２抗菌層４を能率良く施せるように構成してある。
そして、紙素材１は、抗菌層２や印刷層３や第２抗菌層４が施された後に、適宜切断処理や、適宜プレス処理や、適宜接着処理や、適宜組立て処理等が施されて、所望の紙製品に形成されるものである。
【００２０】
前記抗菌層２は、紙素材１の表面、或いは裏面、或いは表裏両面に全体的に設けられるもので、例えば、ニス基剤に２〜２．５重量％の酸化チタンを配合したニス（水溶性のものでも良いし、油性のものでも良い）によって構成されるものである。
尚、抗菌層２は、抗菌効果は勿論のこと、除菌、消臭効果等も得られるものである。
【００２１】
前記印刷層３は、抗菌層２の表面の適宜位置に配されるもので、装飾的なものでも良いし、実用的なものでも良いし、その形状や、寸法や、配設位置や、数や、その色彩等は、適宜自由に設けられるものである。
【００２２】
前記第２抗菌層４は、印刷層３の表面を覆うように設けられたもので、図のように印刷層３を部分的に覆うように構成したものでも良いし、或いは、抗菌層２及び印刷層３全体を覆うように構成したものであっても良い。すなわち、印刷層３を確実に保護できて、抗菌効果を長期に亙って維持できるように構成されたものであれば良い。
尚、第２抗菌層４は、前記抗菌層２同じ成分のものでも良いし、或いは、成分を変えたものを利用するようにしても良い。
【００２３】
ところで、紙製品の具体的構成、形状、寸法、材質、紙素材１の具体的構成、形状、寸法、材質、抗菌層２の具体的構成、形状、寸法、材質（成分）、印刷層３の具体的構成、形状、寸法、材質、配設位置、第２抗菌層４の具体的構成、形状、寸法、材質（成分）等は、図示例のもの等に限定されることなく適宜自由に設定、変更できるものである。
【図面の簡単な説明】
【００２４】
【図１】本考案の紙製品を例示する部分断面図である。
【図２】本考案の他の紙製品を例示する部分断面図である。
【符号の説明】
【００２５】
１      紙素材
２      抗菌層
３      印刷層
４      第２抗菌層
【図１】
0003114192.tif 000003
【図２】
0003114192.tif 000004